(57)【要約】  【課題】シンクライアント端末としての使い勝手を向上させた携帯端末を提供する。  【解決手段】携帯端末１は、シンクライアントシステムのサーバとして機能するパーソナルコンピュータ２から送られてきたフレームデータの画像サイズを表示パネル１０７で表示可能な画像サイズに縮小して、パーソナルコンピュータ２のデスクトップ画面の全体を表示パネル１０７に表示する。また、ポインタ操作により切り出し位置が指定されたならば、この位置を中心とし、少なくともフレームデータの画像サイズより小さいサイズのデータをこのフレームデータから切り出し、この切り出したデータの画像サイズを表示パネル１０７で表示可能な画像サイズに拡大あるいは縮小して、パーソナルコンピュータ２のデスクトップ画面の一部分を表示パネル１０７に表示する。【選択図】図２
2010009431.tif 000002
【特許請求の範囲】
【請求項１】
シンクライアント機能を備えた携帯端末であって、
サーバからフレームデータを受信して記憶するフレーム記憶手段と、
前記フレームデータを自携帯端末が備える表示パネルに表示する表示制御手段と、
前記表示パネルに表示されている前記フレームデータ上の位置を指示するポインティング手段と、を有し、
前記表示制御手段は、
前記フレームデータの画像サイズを前記表示パネルの画面サイズに変更して、前記表示パネルに表示する第一の表示モードと、
前記ポインティング手段により指示された前記フレームデータ上の位置を含み、少なくとも前記フレームデータの画像サイズより小さい所定サイズのデータを、前記フレームデータから切り出し、当該切り出したデータの画像サイズを前記表示パネルの画面サイズに変更して、当該画像サイズ変更後のデータを前記表示パネルに表示する第二の表示モードと、を有する
ことを特徴とする携帯端末。
【請求項２】
請求項１に記載の携帯端末であって、
自携帯端末が備える操作パネルを、前記サーバが認識可能な入力装置にエミュレートして、当該入力装置に対する操作信号を、前記サーバに送信する操作エミュレート手段をさらに有する
ことを特徴とする携帯端末。
【請求項３】
請求項１又は２に記載の携帯端末であって、
データファイルを記憶するファイル記憶手段と、
前記サーバから前記データファイルを受信して前記ファイル記憶手段に記憶するファイル取得手段と、
前記ファイル記憶手段に記憶されている前記データファイルを前記サーバに送信するファイル送信手段と、をさらに有し、
前記ファイル記憶手段は、
コンピュータにリムーバブルメディアあるいはネットワークドライブとして認識されるものである
ことを特徴とする携帯端末。
【発明の詳細な説明】
【技術分野】
【０００１】
本発明は、携帯端末に好適なシンクライアント技術に関する。
【背景技術】
【０００２】
近年、クライアントサーバシステムにおいて、ＴＣＯ（Ｔｏｔａｌ  Ｃｏｓｔ  ｏｆ  Ｏｗｎｅｒｓｈｉｐ）削減等の観点からシンクライアントシステムが注目されている。シンクライアントシステムは、手元にあるシンクライアント端末（リモートマシン）を用いて、会社、自宅等に設置されているサーバ（ローカルマシン）のデスクトップ画面をリモート操作することにより、サーバに搭載されているアプリケーションおよびデータを利用する。このため、アプリケーションのために必要な処理能力が備わっていないクライアント端末を利用することが可能となり、クライアントサーバシステムのＴＣＯを削減することができる（例えば、特許文献１参照）。
【特許文献１】特開２００７−３４６８７号公報
【発明の開示】
【発明が解決しようとする課題】
【０００３】
上述のシンクライアントシステムにおいて、会社等に設置されているパーソナルコンピュータをサーバとし、このパーソナルコンピュータのユーザが携帯する携帯端末をシンクライアント端末として、出張先等の離れた位置からパーソナルコンピュータのデスクトップ画面をリモート操作することができれば、携帯端末の利便性を高めることができる。
【０００４】
しかしながら、携帯端末の表示パネルは、パーソナルコンピュータに接続されるモニタに比べて画面サイズ（解像度）が小さい。このため、パーソナルコンピュータのデスクトップ画面を携帯端末の表示パネルに表示すると、表示パネルの画面内に収まらなくなる。
【０００５】
また、携帯端末の操作パネルは、パーソナルコンピュータに接続されるキーボードに比べてキー数（ボタン数）が少なく、文字入力方法も異なることが多い。このため、携帯端末の操作パネルに対する操作内容をパーソナルコンピュータが誤解釈する可能性がある。
【０００６】
本発明は上記事情に鑑みてなされたものであり、本発明の目的は、シンクライアント端末としての使い勝手を向上させた携帯端末を提供することにある。
【課題を解決するための手段】
【０００７】
上記課題を解決するために、本発明の携帯端末は、サーバから送られてきたフレームデータの画像サイズを表示パネルの画面サイズに変更して表示する。また、所定のキー操作により表示パネルに表示されているフレームデータ上の位置が指定されたならば、この位置を例えば中心とし、少なくともフレームデータの画像サイズより小さいサイズのデータを、このフレームデータから切り出して、この切り出したデータの画像サイズを表示パネルの画面サイズに変更して表示する。
【０００８】
例えば、本発明は、シンクライアント機能を備えた携帯端末であって、
サーバからフレームデータを受信して記憶するフレーム記憶手段と、
前記フレームデータを自携帯端末が備える表示パネルに表示する表示制御手段と、
前記表示パネルに表示されている前記フレームデータ上の位置を指示するポインティング手段と、を有し、
前記表示制御手段は、
前記フレームデータの画像サイズを前記表示パネルの画面サイズに変更して、前記表示パネルに表示する第一の表示モードと、
前記ポインティング手段により指示された前記フレームデータ上の位置を含み、少なくとも前記フレームデータの画像サイズより小さい所定サイズのデータを、前記フレームデータから切り出し、当該切り出したデータの画像サイズを前記表示パネルの画面サイズに変更して、当該画像サイズ変更後のデータを前記表示パネルに表示する第二の表示モードと、を有する。
【０００９】
ここで、本発明の携帯端末は、自携帯端末が備える操作パネルを前記サーバが認識可能な入力装置にエミュレートして、当該入力装置に対する操作信号を前記サーバに送信する操作エミュレート手段をさらに有するものでもよい。
【発明の効果】
【００１０】
本発明によれば、シンクライアント端末としての使い勝手を向上させた携帯端末を提供することができる。
【発明を実施するための最良の形態】
【００１１】
以下、本発明の実施の形態について説明する。
【００１２】
図１は、本発明の一実施の形態に係る携帯端末１を含むシンクライアントシステムの概略構成図である。
【００１３】
図示するように、本実施の形態に係る携帯端末１は、無線基地局３、公衆網４、およびＩＰ網５を介して、自宅、会社等に設置されたパーソナルコンピュータ（ＰＣ）２に接続される。
【００１４】
パーソナルコンピュータ２は、ＶＮＣ（Ｖｉｒｔｕａｌ  Ｎｅｔｗｏｒｋ  Ｃｏｍｐｕｔｉｎｇ）サーバ等のシンクライアントシステムのサーバとしての機能を有し、シンクライアント端末として機能する携帯端末１に、ターミナルサービスを提供する。
【００１５】
すなわち、パーソナルコンピュータ２は、携帯端末１から送られてきた操作信号を受信し、その操作信号が示すデスクトップ画面の操作内容に応じてアプリケーション等を処理する。そして、処理結果が反映されたデスクトップ画面（パーソナルコンピュータ２に接続されるモニタのデスクトップ画面）のフレームデータを携帯端末１に送信する。
【００１６】
また、パーソナルコンピュータ２は、電子メール、ＦＴＰ（Ｆｉｌｅ  Ｔｒａｎｓｆｅｒ  Ｐｒｏｔｏｃｏｌ）等の、携帯端末１とデータファイルを送受信するためのアプリケーションを搭載している。
【００１７】
一方、携帯端末１は、ＶＮＣクライアント等のシンクライアント端末としての機能を有し、シンクライアントシステムのサーバとして機能するパーソナルコンピュータ２からターミナルサービスの提供を受ける。
【００１８】
すなわち、携帯端末１は、自携帯端末１が備える操作パネル１０４（図２参照）を、パーソナルコンピュータ２に接続されるキーボード、マウス等の入力装置にエミュレートし、この入力装置に対する操作信号をパーソナルコンピュータ２に送信する。そして、パーソナルコンピュータ２からデスクトップ画面のフレームデータを受信し、このフレームデータの画像サイズを自携帯端末１の表示画面サイズに縮小して表示する（後述の全体表示モード）。また、所定のキー操作（操作パネル１０４に設けられているキーのうち、パーソナルコンピュータ２の入力装置にエミュレートされていないキー、あるいはエミュレートが解除されたキーに対する操作）により表示中のフレームデータ上の位置が指定されたならば、この位置を例えば中心とし、少なくともフレームデータの画像サイズより小さいサイズのデータを、このフレームデータから切り出して、この切り出したデータの画像サイズを表示画面サイズに拡大あるいは縮小して表示する（後述の部分表示モード）。
【００１９】
また、携帯端末１は、電子メール、ＦＴＰ等の、パーソナルコンピュータ２とデータファイルを送受信するアプリケーションを搭載している。また、携帯端末１は、リムーバブルメディア１０９（図２参照）を備え、このリムーバブルメディア１０９にデータファイルが格納される。
【００２０】
図２は、携帯端末１の概略構成図である。
【００２１】
図示するように、携帯端末１は、無線通信部１０１と、シンクライアント部１０２と、ファイル送受信部１０３と、操作パネル１０４と、操作エミュレータ部１０５と、フレームメモリ１０６と、表示パネル１０７と、表示制御部１０８と、リムーバブルメディア１０９と、リーダ・ライタ部１１０と、主制御部１１１と、を有する。
【００２２】
無線通信部１０１は、無線基地局３および公衆網４を介してＩＰ網５と通信するためのインターフェースである。
【００２３】
シンクライアント部１０２は、ＶＮＣクライアント等のシンクライアント端末としての機能を有し、シンクライアントシステムのサーバとして機能するパーソナルコンピュータ２からターミナルサービスの提供を受ける。
【００２４】
ファイル送受信部１０３は、電子メール、ＦＴＰ等を利用してパーソナルコンピュータ２とデータファイルを送受信する。
【００２５】
操作パネル１０４は、テンキー、カーソルキー等の各種キーを備え、これらのキーに対するユーザの操作内容に応じた操作信号を出力する。なお、操作パネル１０４は、携帯端末１のサイズ上の問題から、パーソナルコンピュータ２に接続されるキーボード等の入力装置に比べ、キー数が少なく、文字入力方法も異なることが多い。例えば、パーソナルコンピュータ２用のキーボードでは、通常、アルファベットキーがテンキーとは別に設けられている。しかし、携帯端末１用の操作パネル１０４では、入力モードを数字入力モードおよび文字入力モードの何れかに切り替えることで、テンキーとアルファベットキーとを兼用することが多い。
【００２６】
操作エミュレータ部１０５は、操作パネル１０４の所定のキー群（例えばテンキー、カーソルキー）を、パーソナルコンピュータ２に接続されるキーボード、マウス等の入力装置にエミュレートし、この入力装置に対する操作信号を出力する。例えば、操作パネル１０４に備えられたテンキーをアルファベットキーとして兼用する場合、入力モードが文字入力モードならば、テンキーに対する操作を、アルファベットキーに対する操作にエミュレートし、その操作信号を出力する。
【００２７】
フレームメモリ１０６には、パーソナルコンピュータ２から受信したデスクトップ画面のフレームデータが記憶される。このフレームデータは、パーソナルコンピュータ２に接続されるモニタに出力されるデスクトップ画面のフレームデータであり、ＶＧＡ（６４０×４８０）、ＳＶＧＡ（８００×６００）等の画像サイズを有する。
【００２８】
表示パネル１０７は、例えばＬＣＤ（Ｌｉｑｕｉｄ  Ｃｒｙｓｔａｌ  Ｄｉｓｐｌａｙ）で構成される。なお、表示パネル１０７は、携帯端末１のサイズ上の問題から、パーソナルコンピュータ２に接続されるモニタに比べて、表示可能な画像サイズが小さい（例えばＱＶＧＡ（３２０×２４０））。
【００２９】
表示制御部１０８は、フレームメモリ１０６に記憶されているフレームデータを表示パネル１０７に表示する。ここで、表示制御部１０８は、全体表示モードおよび部分表示モードの二つの表示モードを有する。
【００３０】
全体表示モードにおいて、表示制御部１０８は、フレームメモリ１０６に記憶されているフレームデータの画像サイズを、表示パネル１０７で表示可能な画像サイズに縮小する。そして、縮小したフレームデータを表示パネル１０７に表示する。
【００３１】
一方、部分表示モードにおいて、表示制御部１０８は、主制御部１１１より指定されたフレームデータ上の位置を例えば中心とし、少なくともフレームデータの画像サイズより小さいサイズのデータを、フレームメモリ１０６から読み出して、この読み出したデータの画像サイズを、表示パネル１０７で表示可能な画像サイズに縮小あるいは拡大する。そして、縮小あるいは拡大されたデータを表示パネル１０７に表示する。
【００３２】
リムーバブルメディア１０９は、ＵＳＢ（Ｕｎｉｖｅｒｓａｌ  Ｓｅｒｉａｌ  Ｂｕｓ）メモリ、ＳＤカード等の挿抜可能な記憶媒体である。リムーバブルメディア１０９は、携帯端末１から取り外してパーソナルコンピュータ２に挿入した場合、パーソナルコンピュータ２に外部メモリ（リムーバブルメディア）として認識される。
【００３３】
リーダ・ライタ部１１０は、装着されたリムーバブルメディア１０９に対するデータファイルの読み書きを制御する。
【００３４】
そして、主制御部１１１は、自携帯端末１の各部１０１〜１１０を統括的に制御する。
【００３５】
次に、携帯端末１の動作を説明する。携帯端末１は、パーソナルコンピュータ２からターミナルサービスの提供を受けるためのリモート操作処理と、パーソナルコンピュータ２とデータファイルを送受信するためのデータファイル通信処理とを実施する。
【００３６】
図３は、携帯端末１のリモート操作処理を説明するためのフロー図である。
【００３７】
シンクライアント部１０２は、無線通信部１０１を介してパーソナルコンピュータ２からデスクトップ画面のフレームデータを受信すると（Ｓ１００でＹＥＳ）、これを主制御部１１１に渡す。これを受けて、主制御部１１１は、このフレームデータでフレームメモリ１０６を更新する（Ｓ１０１）。
【００３８】
次に、表示制御部１０８は、主制御部１１１から指示されている表示モードを確認する（Ｓ１０２）。表示モードが全体表示モードである場合（Ｓ１０２で「全体表示」）、表示制御部１０８は、フレームメモリ１０６からフレームデータを読み出して、このフレームデータの画像サイズを表示パネル１０７で表示可能な画像サイズに縮小する（Ｓ１０３）。そして、縮小したフレームデータを表示パネル１０７に表示する（Ｓ１０４）。
【００３９】
これにより、表示パネル１０７には、図４（Ａ）に示すように、デスクトップ画面の全画面データ２００が表示される。ここで、符号２０１はカーソル、符号２０２は所定のアプリケーションを起動するためのアイコンである。
【００４０】
また、表示モードが部分表示モードである場合（Ｓ１０２で「部分表示」）、表示制御部１０８は、後述する切り出し位置を例えば中心とし、少なくともフレームデータの画像サイズより小さい所定サイズのデータを、フレームメモリ１０６から読み出す（Ｓ１０５）。ここで、所定サイズは、例えばフレームデータの画像サイズより小さく、且つ表示パネル１０７で表示可能な画像サイズより大きいサイズまたは小さいサイズに設定される。次に、表示制御部１０８は、読み出したデータの画像サイズを表示パネル１０７で表示可能な画像サイズに拡大または縮小する（Ｓ１０６）。それから、表示制御部１０８は、拡大または縮小したフレームデータを表示パネル１０７に表示する（Ｓ１０７）。
【００４１】
これにより、表示パネル１０７には、図４（Ｃ）に示すように、デスクトップ画面の部分画面データ２０４が表示される。
【００４２】
一方、操作パネル１０４が操作されると（Ｓ１１０でＹＥＳ）、操作エミュレータ部１０５は、操作された操作パネル１０４のキー群がエミュレート対象のキー群であるならば（Ｓ１１１でＹＥＳ）、これらのキー群を、パーソナルコンピュータ２に接続される入力装置にエミュレートし、この入力装置に対する操作信号を出力する（Ｓ１１２）。主制御部１１１は、操作エミュレータ部１０５から出力された操作信号をシンクライアント部１０２に渡す。これを受けて、シンクライアント部１０２は、無線通信部１０１を介してパーソナルコンピュータ２に、エミュレートされた操作信号を送信する（Ｓ１１３）。
【００４３】
操作された操作パネル１０４のキー群がエミュレート対象のキー群でない場合、あるいは所定のキー操作によりエミュレート対象から解除されたキー群である場合（Ｓ１１１でＮＯ）、主制御部１１１は、操作パネル１０４に対する操作内容がポインタ操作であるか否かを判断する（Ｓ１１４）。
【００４４】
ポインタ操作である場合（Ｓ１１４でＹＥＳ）、主制御部１１１は、無線通信部１０１を介してパーソナルコンピュータ２に、エミュレートされた操作信号を送信する共に、操作内容に応じて定まる表示パネル１０７上の位置の指定を伴うポインタ表示指示を表示制御部１０８に出力する。これを受けて、表示制御部１０８は、図４（Ｂ）に示すように、指定された表示パネル１０７上の位置に、表示中のフレームデータ（図４（Ｂ）に示す例ではデスクトップ画面の全画面データ２００）に重ねてポインタのマーク２０３を表示する（Ｓ１１５）。
【００４５】
また、表示制御部１０８は、表示パネル１０７の座標系から、フレームメモリ１０６に記憶されているフレームデータの座標系への座標変換を行なうことにより、主制御部１１１より指定された表示パネル１０７上の位置（座標）を、表示パネル１０７に表示中のフレームデータ上の位置に変換する。そして、この変換された位置を上述の切り出し位置に決定する（Ｓ１１６）。なお、ポインタ操作が未だなされていない場合、表示制御部１０８は、フレームデータ上の所定の位置（例えばフレームデータの中心位置）を切り出し位置にデフォルト設定する。
【００４６】
一方、ポインタ操作でない場合（Ｓ１１４でＮＯ）、主制御部１１１は、操作パネル１０４に対する操作内容が表示モード切替え操作であるか否かをさらに判断する（Ｓ１１７）。表示モード切替え操作である場合（Ｓ１１７でＹＥＳ）、主制御部１１１は、切替え後の表示モード（現在の表示モードが全体表示モードならば部分表示モード、現在の表示モードが部分表示モードならば全体表示モード）を表示制御部１０８に指示してＳ１０２に戻る（Ｓ１１８）。
【００４７】
図５は、携帯端末１のデータファイル通信処理を説明するためのフロー図である。
【００４８】
ファイル送受信部１０３は、無線通信部１０１を介して、パーソナルコンピュータ２からデータファイルを受信すると（Ｓ２００でＹＥＳ）、この受信したデータファイルを主制御部１１１に渡す。これを受けて、主制御部１１１は、リーダ・ライタ部１１０を制御して、このデータファイルをリムーバブルメディア１０９に書き込む（Ｓ２０１）。
【００４９】
また、主制御部１１１は、操作パネル１０４を介してユーザからデータファイルの送信指示を受け付けると（Ｓ２０２でＹＥＳ）、リーダ・ライタ部１１０を制御して、リムーバブルメディア１０９からデータファイルを読み出す（Ｓ２０３）。そして、読み出したデータファイルをファイル送受信部１０３に渡す。これを受けて、ファイル送受信部１０３は、無線通信部１０１を介して、パーソナルコンピュータ２に、データファイルを送信する（Ｓ２０４）。
【００５０】
図６は、図１に示すシンクライアントシステムの動作の一例を説明するためのシーケンス図である。ここで、サブＰＣ６は、携帯端末１のユーザが携帯するノート型のパーソナルコンピュータ、あるいは携帯端末１のユーザの出先に設置されたデスクトップ型のパーソナルコンピュータ等である。
【００５１】
携帯端末１は、パーソナルコンピュータ２が提供するターミナルサービスを利用して、パーソナルコンピュータ２のデスクトップ画面をリモート操作する（Ｓ３００）。これにより、携帯端末１は、パーソナルコンピュータ２に搭載されたデータファイル送受信用のアプリケーションを起動させ、パーソナルコンピュータ２から携帯端末１にデータファイルを送信させる（Ｓ３０１）。携帯端末１は、パーソナルコンピュータ２から受信したデータファイルをリムーバブルメディア１０９に書き込む。
【００５２】
ここで、ユーザは、携帯端末１上で、表示モードを適宜切り替えながら、このデータファイルの内容を携帯端末１で参照することができる。さらに、必要に応じて、サブＰＣ６において、このデータファイルを加工することができる。この場合、このリムーバブルメディア１０９は、携帯端末１から取り外されてサブＰＣ６に挿入される（Ｓ３０２）。サブＰＣ６は、このリムーバブルメディア１０９に格納されているデータファイルを、エディタ等のアプリケーションにより編集する（Ｓ３０３）。そして、編集後、このリムーバブルメディア１０９は、サブＰＣ６から取り外されて携帯端末１に挿入される（Ｓ３０４）。
【００５３】
さて、携帯端末１は、ユーザの指示に従い、リムーバブルメディア１０９に格納されているデータファイルをパーソナルコンピュータ２に送信する（Ｓ３０５）。
【００５４】
以上、本発明の一実施の形態を説明した。
【００５５】
本実施の形態の携帯端末１は、シンクライアントシステムのサーバとして機能するパーソナルコンピュータ２から送られてきたフレームデータの画像サイズを表示パネル１０７で表示可能な画像サイズに縮小して、パーソナルコンピュータ２のデスクトップ画面の全体を表示パネル１０７に表示する。また、ポインタ操作により切り出し位置が指定されたならば、この位置を例えば中心とし、少なくともフレームデータの画像サイズより小さいサイズのデータを、このフレームデータから切り出し、この切り出したデータの画像サイズを表示パネル１０７で表示可能な画像サイズに拡大あるいは縮小して、パーソナルコンピュータ２のデスクトップ画面の一部分を表示パネル１０７に表示する。このため、本実施の形態によれば、パーソナルコンピュータ２のデスクトップ画面の画像サイズをサポートしていない携帯端末１のシンクライアント端末としての使い勝手が向上する。
【００５６】
また、本実施の形態の携帯端末１は、操作パネル１０４をパーソナルコンピュータ２の入力装置にエミュレートし、この入力装置に対する操作信号をパーソナルコンピュータ２に送信する。したがって、本実施の形態によれば、キー数、文字入力方法等がパーソナルコンピュータ２の入力装置と異なる携帯端末１のシンクライアント端末としての使い勝手が向上する。
【００５７】
また、本実施の形態の携帯端末１は、パーソナルコンピュータ２からデータファイルを受信してリムーバブルメディア１０９に書き込むことができるとともに、リムーバブルメディア１０９に格納されているデータファイルをパーソナルコンピュータ２に送信することができる。したがって、例えば、リムーバブルメディア１０９に書き込まれたパーソナルコンピュータ２のデータファイルをサブＰＣ６で編集することができる。このため、パーソナルコンピュータ２が提供するターミナルサービスを利用して、携帯端末１からパーソナルコンピュータ２のデスクトップ画面をリモート操作し、パーソナルコンピュータ２のデータファイルを編集する場合に比べ、携帯端末１およびパーソナルコンピュータ２間の通信頻度を減らすことができ、これにより携帯端末１の通信コストを削減できる。
【００５８】
なお、本発明は上記の実施の形態に限定されるものではなく、その要旨の範囲内で数々の変形が可能である。
【００５９】
例えば、上記の実施の形態では、パーソナルコンピュータ２のデータファイルをリムーバブルメディア１０９に記憶することにより、このリムーバブルメディア１０９を携帯端末１から取り外してサブＰＣ６に挿入し、サブＰＣ６でデータファイルを編集できるようにしている。しかし、本発明はこれに限定されない。例えば携帯端末１に、ＬＡＮインターフェース、ＵＳＢインターフェース等のインターフェースを設け、このインターフェースを介してサブＰＣ６に接続されることにより、サブＰＣ６からネットワークドライブあるいはリムーバブルメディア１０９として認識される記憶装置に、パーソナルコンピュータ２のデータファイルを記憶するようにしてもよい。
【００６０】
また、上記の実施の形態では、部分表示モードの切り出し位置をポインタで示しているが（図４（Ｂ）参照）、必ずしも、このようにする必要はない。例えば、予め定めた複数の分割領域を表示パネル１０７上に設定しておき、部分表示モードにおいては、ユーザから指定されたいずれかの分割領域内に表示中の画像をフレームデータから切り出して、それをパーソナルコンピュータ２のデスクトップ画面の一部分として表示パネル１０７に表示するようにしてもよい。
【００６１】
このようにする場合には、例えば、図３のＳ１１４において、主制御部１１１は、操作パネル１０４に対する操作内容が切り出し領域指定指示であるか否か判断し、切り出し領域指定指示であれば、操作パネル１０４上の所定のキー群（切り出し領域指定キー）をエミュレート対象から一旦解除するとともに分割領域表示指示を表示制御部１０８に出力する。これに応じて、表示制御部１０８は、例えば、図７に示すように、切り出し領域指定キーの配列にあわせて並んだ、表示パネル１０７上の分割領域を示す画像を表示中のフレームデータ上に合成表示する。このような画像は、例えば、対応する切り出し領域指定キーに割り当てられた文字画像であってもよいし、各分割領域の境界を示す線画像であってもよい。ここで、いずれかの切り出し領域指定キーが押下された場合、主制御部１１１は、図３のＳ１１５において、押下された切り出し領域指定キーに予め割り当てられた表示パネル１０７上の位置（対応する分割領域に含まれる所定位置、例えばその分割領域の中心）を切り出し位置として表示制御部１０８に出力し、その後、図３のＳ１１８において、切替え後の表示モードとして部分表示モードを表示制御部１０８に指示する際に切り出し領域指定キーをエミュレート対象として再設定する。
【００６２】
また、上記の実施の形態において、図２に示す携帯端末１の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいは、ＤＳＰ（Ｄｉｇｉｔａｌ  Ｓｉｇｎａｌ  Ｐｒｏｃｅｓｓｏｒ）などの計算機によりソフトウエア的に実行されるものでもよい。あるいは、ＣＰＵ、メモリ、ＨＤＤ、ＵＳＢメモリ等の補助記憶装置、および無線通信インターフェースを備えた携帯電話機、ＰＤＡ（Ｐｅｒｓｏｎａｌ  Ｄｉｇｉｔａｌ  Ａｓｓｉｓｔａｎｔ）等の情報処理端末において、ＣＰＵが所定のプログラムを補助記憶装置からメモリ上にロードして実行することで実現されるものでもよい。
【図面の簡単な説明】
【００６３】
【図１】図１は、本発明の一実施の形態に係る携帯端末１を含むシンクライアントシステムの概略構成図である。
【図２】図２は、携帯端末１の概略構成図である。
【図３】図３は、携帯端末１で実行されるリモート操作処理を説明するためのフロー図である。
【図４】図４（Ａ）は、全画面表示モードでのデスクトップ画面の表示例を示す図であり、図４（Ｂ）は、ポインタ操作時におけるデスクトップ画面の表示例を示す図であり、図４（Ｃ）は、部分表示モードでのデスクトップ画面の表示例を示す図である。
【図５】図５は、携帯端末１で実行されるデータファイル通信処理を説明するためのフロー図である。
【図６】図６は、図１に示すシンクライアントシステムの動作の一例を説明するためのシーケンス図である。
【図７】図７は、部分表示モードにおける、デスクトップ画面の表示領域の指定方法を説明するための図である。
【符号の説明】
【００６４】
１：携帯端末、２：パーソナルコンピュータ、３：無線基地局、４：公衆網、５：ＩＰ網、６：サブＰＣ、１０１：無線通信部、１０２：シンクライアント部、１０３：ファイル送受信部、１０４：操作パネル、１０５：操作エミュレータ部、１０６：フレームメモリ、１０７：表示パネル、１０８：表示制御部、１０９：リムーバブルメディア、１１０：リーダ・ライタ部、１１１：主制御部
【図１】
2010009431.tif 000003
【図２】
2010009431.tif 000004
【図３】
2010009431.tif 000005
【図４】
2010009431.tif 000006
【図５】
2010009431.tif 000007
【図６】
2010009431.tif 000008
【図７】
2010009431.tif 000009